(57)【特許請求の範囲】
【請求項１】
ナビゲーションシステムを実現するアプリケーションデータが記憶されたフラッシュＲＯＭと、該フラッシュＲＯＭから前記アプリケーションデータを読み込んで動作するＣＰＵと、該ＣＰＵにバックアップ処理を実行させるバックアップ用アプリケーションデータを含む地図データが記録されている光ディスクと、該光ディスクから前記地図データを読み出す光ディスク読出部と、所定の設定データ及び前記地図データの一部を一時的に記憶可能なメモリ部とを備え、前記ＣＰＵが電源オフを検出したときに、前記光ディスクから前記バックアップ用アプリケーションデータを読み出して前記メモリ部に記憶すると共に前記バックアップ用アプリケーションデータを実行して前記設定データを前記フラッシュＲＯＭに記憶させるようにしたことを特徴とするナビゲーション装置。
【請求項２】
前記ナビゲーション装置において、前記メモリ部はＤＲＡＭとＳＲＡＭとを有しており、前記ＤＲＡＭには前記地図データの一部が一時的に記憶され、前記ＳＲＡＭには前記設定データが記憶されるとともに、前記ＣＰＵは電源オフを検出したときに、前記光ディスクから前記バックアップ用アプリケーションデータを読み出し、前記ＤＲＡＭに記憶したあとに該ＤＲＡＭに記憶した前記バックアップ用アプリケーションデータを実行するようにしたことを特徴とする請求項１記載のナビゲーション装置。
【請求項３】
ナビゲーションシステムを実現するアプリケーションデータが記憶されたフラッシュＲＯＭと、該フラッシュＲＯＭから前記アプリケーションデータを読み込んで動作するＣＰＵと、地図データが記録されている光ディスクと、該光ディスクから前記地図データを読み出す光ディスク読出部と、所定の設定データ及び前記地図データの一部を一時的に記憶可能なメモリ部とを備え、前記フラッシュＲＯＭには前記ＣＰＵにバックアップ処理を実行させるバックアップ関数が記録されており、前記ＣＰＵは電源オフを検出したときに、前記フラッシュＲＯＭから前記バックアップ関数を読み出し、前記メモリ部に記憶したあとに、該メモリ部に記憶した前記バックアップ関数を実行して前記設定データを前記フラッシュＲＯＭに記憶するようにしたことを特徴とするナビゲーション装置。
【請求項４】
前記ナビゲーション装置において、前記メモリ部はＤＲＡＭとＳＲＡＭとを有しており、前記ＤＲＡＭには前記地図データの一部が一時的に記憶され、前記ＳＲＡＭには前記設定データが記憶されるとともに、前記ＣＰＵは電源オフを検出したときに、前記フラッシュＲＯＭから前記バックアップ関数を読み出し、前記ＤＲＡＭに記憶したあとに該ＤＲＡＭに記憶した前記バックアップ関数を実行するようにしたことを特徴とする請求項３記載のナビゲーション装置。
【請求項５】
前記ＣＰＵは、電源オフを検出したときに、前記ＳＲＡＭに記憶した前記設定データを前記ＤＲＡＭに記憶したのちに該ＤＲＡＭに記憶した前記設定データを前記フラッシュＲＯＭに記憶するようにしたことを特徴とする請求項２及び請求項４記載のナビゲーション装置。
【発明の詳細な説明】
【０００１】
【発明の属する技術分野】
本発明はナビゲーション装置に関し、特に、電源供給が停止したときの設定データのバックアップ方法に関する。
【０００２】
【従来の技術】
近年、世界中で環境問題について関心が高まっており、特に、欧州においては、例えば、ナビゲーション装置等の車載機器のデータバックアップ用電池についても、その使用が規制されつつある。
【０００３】
従来のナビゲーション装置（以下、単にナビゲーションと略す）は、図２を参照すると、ナビゲーションシステムを実現するアプリケーションが記憶されたフラッシュＲＯＭ５１と、フラッシュＲＯＭ５１からアプリケーションを読み込んで動作するＣＰＵ５２と、地図データが記憶された光ディスク（図示せず）からデータを読み出す光ディスク読出部５３と、例えば、目的地名等が設定された設定データが保存されるＳＲＡＭ５４と、ＣＰＵ５２がアプリケーションを展開するＤＲＡＭ５５とを有している。
【０００４】
フラッシュＲＯＭ５１は不揮発性のメモリでＣＰＵ５２に接続されている。フラッシュＲＯＭはＳＲＡＭやＤＲＡＭに比べて高価であるが、電源が供給されなくてもデータを保持しておくことできると云う特徴を持っている。このため、フラッシュＲＯＭは、使用するアプリケーションがあらかじめ記憶された状態で使用される。
【０００５】
ＳＲＡＭ５４は、スタティック（静的）にデータを保存できるメモリで、ＣＰＵ５２に接続されており、記憶したデータをバックアップするための電源を供給するバックアップ電池５４ａが設けられている。そして、例えば、自動車のバッテリーの交換時のように、ナビゲーションに電源が供給されない状態になってもバックアップ電池５４ａから電源が供給されるため、ＳＲＡＭ５４に記憶されたデータが消去されないようになっている。
【０００６】
ＤＲＡＭ５５は揮発性のメモリで、ＣＰＵ５２に接続されている。そして、ＤＲＡＭ５５は常にデータの更新を行うリフレッシュ動作を必要とするが、フラッシュＲＯＭ５１やＳＲＡＭ５４に比べて安価で、且つ、応答速度が速いという特徴を持っているため、ＣＰＵ５２が光ディスクやフラッシュＲＯＭ５１、ＳＲＡＭ５４等から読み出したデータを展開するためのメモリとして使用されている。
【０００７】
光ディスク読出部５３は、例えば、ＣＤ−ＲＯＭに代表される光ディスクに記録されたデータを読み出すためのもので、ＣＰＵ５２に接続されている。なお、ナビゲーションに使用される光ディスクは、地図データが予め記録されたものが用いられる。
【０００８】
ＣＰＵ５２は、フラッシュＲＯＭ５１、ＳＲＡＭ５４、ＤＲＡＭ５５及び光ディスクに記憶されたデータを読み出してナビゲーションを動作させるためのものであり、例えば、目的地名等の設定データを入力するための操作部５６と、地図データや操作部５６によって入力されたデータを表示する表示部５７とが接続されている。
【０００９】
そして、ＣＰＵ５２はナビゲーションに電源が供給されると、フラッシュＲＯＭ５１に記憶されたアプリケーション及び光ディスクから読み込んだ地図データの一部をＤＲＡＭ５５上に展開して動作する。
【００１０】
また、ＣＰＵ５２は、フラッシュＲＯＭ５１に対し、データの読み出しを行うと同時に他のデータをフラッシュＲＯＭ５１に書き込みを行った場合、フラッシュＲＯＭ５１に記録されているデータを破壊してしまうので、フラッシュＲＯＭ５１に対し、同時にデータの読み書きを行わないようになっている。
【００１１】
そして、ナビゲーションは、任意のデータ、例えば使用者の自宅住所や良く訪れる場所の住所等のデータ、以前検索したルート検索の結果などを設定データとして保存できるようになっている。このように、設定データを保存しておき、ナビゲーションの動作開始時に予め読み出すことで、ナビゲーションは、使用者が設定した状態で常に動作を開始できるようになっている。
【００１２】
なお、自動車に搭載されるナビゲーションには自動車のバッテリーから電源が供給される。この電源は、図示はしないが、アクセサリースイッチ（以下、ＡＣＣスイッチという）を介して供給されるアクセサリー電源と、バッテリーから直接供給されるバッテリー電源とがある。
【００１３】
アクセサリー電源はＡＣＣスイッチをＯＮに切り替えたときにナビゲーションに供給されるようになっており、このＡＣＣスイッチのＯＮ／ＯＦＦの切り替えによってナビゲーションの起動を制御している。また、バッテリー電源は、常にナビゲーションに供給されており、例えば、上述の設定データが記憶されているＳＲＡＭ５４にはこのバッテリー電源が供給されており、このバッテリー電源によってＳＲＡＭ５４は設定データを保持している。そして、バッテリー交換などの不定期な電源の供給停止時には、ＳＲＡＭ５４に設けられたバックアップ電池５４ａから電源を供給して、不定期な電源の供給停止時にも設定データが保持されるようになっている。
【００１４】
【発明が解決しようとする課題】
ところで、近年の環境問題に対する関心の高まりによって、特に欧州においては、車載用機器にも電池を使用しない機器が求められている。ところが、従来のナビゲーションはＳＲＡＭ５４に設定データを保持して不定期な電源供給の停止時に備えているため、電池を使用しないで設定データを保持しておくことが出来なかった。
【００１５】
本発明はこの問題を解決するためのもので、その目的は、電池を用いずにバッテリーの交換時などの不定期な電源供給停止時にも設定データを保持しておくことが出来るようにすることにある。
【００１６】
【課題を解決するための手段】
上記問題を解決するために、本発明のナビゲーション装置は、ナビゲーションシステムを実現するアプリケーションデータが記憶されたフラッシュＲＯＭと、フラッシュＲＯＭからアプリケーションデータを読み込んで動作するＣＰＵと、ＣＰＵにバックアップ処理を実行させるバックアップ用アプリケーションデータを含む地図データが記録されている光ディスクと、光ディスクから地図データを読み出す光ディスク読出部と、所定の設定データ及び地図データの一部を一時的に記憶可能なメモリ部とを備え、ＣＰＵが電源オフを検出したときに、光ディスクからバックアップ用アプリケーションデータを読み出してメモリ部に記憶すると共にバックアップ用アプリケーションデータを実行して設定データをフラッシュＲＯＭに記憶させるようにした。
【００１７】
また、本発明のナビゲーション装置においては、メモリ部はＤＲＡＭとＳＲＡＭとを有しており、ＤＲＡＭには地図データの一部が一時的に記憶され、ＳＲＡＭには設定データが記憶されるとともに、ＣＰＵは電源オフを検出したときに、光ディスクからバックアップ用アプリケーションデータを読み出し、ＤＲＡＭに記憶したあとにＤＲＡＭに記憶したバックアップ用アプリケーションデータを実行するようにした。
【００１８】
また、本発明のナビゲーション装置は、ナビゲーションシステムを実現するアプリケーションデータが記憶されたフラッシュＲＯＭと、フラッシュＲＯＭからアプリケーションデータを読み込んで動作するＣＰＵと、地図データが記録されている光ディスクと、光ディスクから地図データを読み出す光ディスク読出部と、所定の設定データ及び地図データの一部を一時的に記憶可能なメモリ部とを備え、フラッシュＲＯＭにはＣＰＵにバックアップ処理を実行させるバックアップ関数が記憶されており、ＣＰＵは電源オフを検出したときに、フラッシュＲＯＭからバックアップ関数を読み出し、メモリ部に記憶したあとに、メモリ部に記憶したバックアップ関数を実行して設定データをフラッシュＲＯＭに記憶するようにした。
【００１９】
また、本発明のナビゲーション装置においては、メモリ部はＤＲＡＭとＳＲＡＭとを有しており、ＤＲＡＭには地図データの一部が一時的に記憶され、ＳＲＡＭには設定データが記憶されるとともに、ＣＰＵは電源オフを検出したときに、フラッシュＲＯＭからバックアップ関数を読み出し、ＤＲＡＭに記憶したあとにＤＲＡＭに記憶したバックアップ関数を実行するようにした。
【００２０】
また、本発明のナビゲーション装置においては、ＣＰＵは、電源オフを検出したときに、ＳＲＡＭに記憶した設定データをＤＲＡＭに記憶したのちにＤＲＡＭに記憶した設定データをフラッシュＲＯＭに記憶するようにした。
【００２１】
【発明の実施の形態】
本発明のナビゲーション装置（以下、単にナビゲーションと略す）の第一の実施の形態について、図１に従って説明する。
【００２２】
まず、本発明のナビゲーション装置の構成の概略を図１に従って説明する。ナビゲーションは、ナビゲーションシステムを実現するアプリケーションデータ（以下、ナビソフトと略す）が記憶されたフラッシュＲＯＭ１と、フラッシュＲＯＭ１からナビソフトを読み込んで動作するＣＰＵ２と、地図データが記憶された光ディスク（図示せず）からデータを読み出す光ディスク読出部３と、設定データ等が一時的に記憶されるメモリ部４と、図示はしないが、ナビゲーションを強制的にリセットしてナビゲーションの暴走を止めるためのウォッチドッグタイマ（以下、ＷＤＴと略す）とを有している。
【００２３】
フラッシュＲＯＭ１は、不揮発性のメモリで、ＣＰＵ２に接続されている。そして、フラッシュＲＯＭ１にはナビソフトと初期起動プログラム（以下、ＩＰＬと略す）と、ウォッチドッグタイマハンドラ（以下、ＷＤＴハンドラと略す）とが予め記憶されている。
【００２４】
ＩＰＬはＣＰＵ２が動作を開始するときに最初に読み出すプログラムで、ＣＰＵ２がＩＰＬを読み込むと、後述するＳＲＡＭ８に記憶されたフラグを確認するようになっている。そして、このフラグが「０」の場合には、ＣＰＵ２はフラッシュＲＯＭ１に記憶されたナビソフトの読み込みを行い、「１」の場合には光ディスクに記録された地図データの中からナビソフトの読み込みをそれぞれ行うようなっている。
【００２５】
ＣＰＵ２はナビゲーションを動作させるためのもので、随時フラッシュＲＯＭ１、光ディスク及びメモリ部４に記憶されているデータを読み出したり、書き込みを行ってナビゲーションを動作させている。また、ＣＰＵ２にはナビゲーションに目的地の名称等の設定データを入力するための操作部５と、地図データや操作部５によって入力されたデータを表示する表示部６とが接続されている。
【００２６】
また、ＣＰＵ２はフラッシュＲＯＭ１に対し、データの読み出しを行うと同時にデータの書き込みを行った場合、フラッシュＲＯＭ１に記憶されているデータが破壊されてしまうので、フラッシュＲＯＭ１に対して、同時にデータを行わないようになっている。
【００２７】
光ディスク読出部３は、例えば、ＣＤ−ＲＯＭ等の光ディスクに記録された地図データを読み出すためのものでＣＰＵ２に接続されている。そして、光ディスクには、例えば、コンビニエンスストアの住所や電話番号等の各種店舗データ、ＣＰＵ２がＳＲＡＭ８に記憶した設定データをフラッシュＲＯＭ１に記憶するためのバックアップ用アプリケーションデータ等を含む地図データが記録されている。
【００２８】
光ディスクに記録されたバックアップ用アプリケーションデータは、フラッシュＲＯＭ１を書き換えるためのデバイスドライバと、ナビゲーションに設けられたＷＤＴを制御するウォッチドッグタイマハンドラ（以下、ＷＤＴハンドラと略す）とを有している。なお、ＷＤＴは一定の時間間隔でカウントを数えており、このカウントの数が予め決められた数値に達したときにナビゲーションをリセットするようになっている。そして、ＷＤＴハンドラは、ＷＤＴが数えたカウント数をリセットするためのプログラムで、ナビゲーションが正常に動作しているときにはＷＤＴが予め決めた数値までカウントする前にＷＤＴのカウント数をリセットするように設定されている。
【００２９】
メモリ部４は使用者が設定した設定データや光ディスクから読み出した地図データ等を一時的に記憶するためのもので、ＤＲＡＭ７とＳＲＡＭ８とから構成される。
【００３０】
ＤＲＡＭ７は揮発性のメモリで、ＣＰＵ２に接続されており、フラッシュＲＯＭ１から読み出したナビソフトが展開されるようになっている。
【００３１】
ＳＲＡＭ８は、スタティック（静的）にデータを保存できるメモリで、ＣＰＵ２に接続されており、設定データが記憶されるようになっている。
【００３２】
ところで、ＣＰＵ２はナビゲーションに電源が供給されると、フラッシュＲＯＭ１に記憶されたナビソフトと、光ディスクから読み込んだ地図データの一部とをＤＲＡＭ７上に展開して動作する。ここで、ナビゲーションは任意のデータ、例えば、使用者の自宅住所や良く訪れる場所の住所等のデータ、以前検索したルート検索の結果などを設定データとしてＳＲＡＭ８に記憶している。
【００３３】
なお、自動車に搭載されるナビゲーションには自動車のバッテリーから電源が供給される。この電源は、図示はしないが、アクセサリースイッチ（ＡＣＣスイッチ）を介して供給されるアクセサリー電源と、バッテリーから直接供給されるバッテリー電源とがある。
アクセサリー電源は、ＡＣＣスイッチをＯＮに切り替えたときにナビゲーションへ供給されるようになっており、このＡＣＣスイッチのＯＮ／ＯＦＦの切り替えによってナビゲーションの起動を制御している。また、バッテリー電源は、常にナビゲーションへ供給されている。このため、通常、ＳＲＡＭ８には常にバッテリーから電源が供給されて設定データが保持される。
【００３４】
ここで、例えば、電源が停止したとき、すなわち、ＡＣＣスイッチをＯＦＦにしたときの設定データをバックアップする方法について説明する。
【００３５】
先ず、ＡＣＣスイッチをＯＦＦに切り換えると、ＣＰＵ２は電源オフを検知し、ＳＲＡＭ８のフラグを「１」にするとともに、ＷＤＴハンドラを停止させる。そして、一定時間経過後、ＷＤＴによりナビゲーションがリセットされる。
【００３６】
ＷＤＴによってナビゲーションがリセットされると、ＣＰＵ２は再度フラッシュＲＯＭ１に記録されたＩＰＬを読んで、ＳＲＡＭ８のフラグを確認する。すると、ＳＲＡＭ８のフラグが、「１」になっているので、ＣＰＵ２は光ディスクに記憶されたバックアップ用アプリケーションデータをＤＲＡＭ７に展開するとともにバックアップ用アプリケーションを実行して、ＳＲＡＭ８に記憶された設定データをＤＲＡＭ７にコピーする。ここで、ＣＰＵ２は設定データの中でも予め定めた必要最低限のデータ（例えば、使用者の住所や電話番号等）のみを選択して、フラッシュＲＯＭ１の１セクタ（例えば、１２８ＫＢ）よりも小さくなるようにコピーする。このように、設定データをＤＲＡＭ７へコピーするようにしたことで、フラッシュＲＯＭ１の記憶容量を無駄にすることなく設定データのバックアップを行うことができる。
【００３７】
そして、ＤＲＡＭ７へ設定データのコピーが完了すると、ＣＰＵ２は、このＤＲＡＭ７へコピーした設定データを一度にフラッシュＲＯＭ１へバックアップする。そして、バックアップの完了後、ＣＰＵ２はバックアップ用アプリケーションを終了し、ナビゲーションの電源を切る。
【００３８】
以上のように、ＤＲＡＭ７に記憶したバックアップ用アプリケーションデータを実行してＳＲＡＭ８に記憶した設定データをフラッシュＲＯＭ１に記憶するようにしたことで、バックアップ用アプリケーションデータを実行しているときにはＣＰＵ２はフラッシュＲＯＭ１から読み出しを行っていないので、フラッシュＲＯＭ１を破壊することがない。また、フラッシュＲＯＭ１に設定データをコピーしているので、ナビゲーションに電源が供給されなくなっても設定データを保持することができ、電池を用いないナビゲーションを提供することが出来る。
【００３９】
次に、本発明のナビゲーションの第二の実施の形態について説明する。ここで、第一の実施の形態においては、ＳＲＡＭ８に記憶した設定データを光ディスクに記憶したバックアップ用アプリケーションデータを使用したが、第二の実施の形態として、フラッシュＲＯＭ１にバックアップ用アプリケーションデータと同様な機能をＣＰＵ２に与えるバックアップ関数をナビソフトにプログラムしたバックアップ方法を以下に説明する。なお、第二の実施の形態構成は上述した第一の実施の形態の構成（図１）と同様なので、説明は省略する。
【００４０】
先ず、ＡＣＣスイッチをＯＦＦに切り替えると、ＣＰＵ２は電源オフを検知し、フラッシュＲＯＭ１に記録されているバックアップ関数とＷＤＴハンドラとをＤＲＡＭ７にコピーする。次に、ＣＰＵ２はＳＲＡＭ８に記憶されている設定データをＤＲＡＭ７にコピーする。ここで、ＣＰＵ２は設定データの中でも予め定めた必要最低限のデータのみを選択して、フラッシュＲＯＭ１の１セクタよりも小さくなるようにコピーする。このときも、第一の実施の形態と同様に、フラッシュＲＯＭ１の記憶容量を無駄にすることなく設定データのバックアップを行うことができる。
【００４１】
次に、ＣＰＵ２はフラッシュＲＯＭ１からＤＲＡＭ７へのバックアップ関数及びＷＤＴハンドラのコピーが完了すると、フラッシュＲＯＭ１のＷＤＴハンドラを停止させる。そして、一定時間経過後、ＷＤＴによりナビゲーションがリセットされる。
【００４２】
ナビゲーションがリセットされると、ＣＰＵ２は、再度フラッシュＲＯＭ１に記録されたＩＰＬを読み、その後、ＤＲＡＭ７にコピーしたバックアップ関数を実行して、ＤＲＡＭ７にコピーした設定データをフラッシュＲＯＭ１にバックアップする。なお、ＤＲＡＭ７にコピーしたＷＤＴハンドラ以外のＣＰＵ割り込みハンドラは全禁止されている。そして、フラッシュＲＯＭ１へのバックアップの完了後、ＣＰＵ２はバックアップ関数を終了し、ナビゲーションの電源を切る。
【００４３】
以上のように、ＣＰＵ２が電源オフを検出したときに、ＣＰＵ２がフラッシュＲＯＭ１からバックアップ関数を読み出してメモリ部４に記憶した後に、ＤＲＡＭ７に記憶したバックアップ関数を実行して設定データをフラッシュＲＯＭ１に記憶するようにしたので、一般に光ディスクからデータを読み出すよりもメモリからデータを読み出す方がより速くデータを読み出せるので、バックアップ処理に要する時間を短縮することが出来る。
【００４４】
【発明の効果】
以上のように、本発明のナビゲーション装置は、ナビゲーションシステムを実現するアプリケーションデータが記憶されたフラッシュＲＯＭと、フラッシュＲＯＭからアプリケーションデータを読み込んで動作するＣＰＵと、ＣＰＵにバックアップ処理を実行させるバックアップ用アプリケーションデータを含む地図データが記録されている光ディスクと、光ディスクから地図データを読み出す光ディスク読出部と、所定の設定データ及び地図データの一部を一時的に記憶可能なメモリ部とを備え、ＣＰＵが電源オフを検出したときに、光ディスクからバックアップ用アプリケーションデータを読み出してメモリ部に記憶すると共にバックアップ用アプリケーションデータを実行して設定データをフラッシュＲＯＭに記憶させるようにしたことで、バックアップ用アプリケーションを実行しているときにはＣＰＵはフラッシュＲＯＭから読み出しを行っていないので、フラッシュＲＯＭを破壊することが無く、また、フラッシュＲＯＭに設定データをコピーしているので、ナビゲーションに電源が供給されなくなっても設定データを保持することができ、電池を用いないナビゲーションを提供することが出来る。
【００４５】
また、本発明のナビゲーション装置においては、メモリ部はＤＲＡＭとＳＲＡＭとを有しており、ＤＲＡＭには地図データの一部が一時的に記憶され、ＳＲＡＭには設定データが記憶されるとともに、ＣＰＵは電源オフを検出したときに、光ディスクからバックアップ用アプリケーションデータを読み出し、ＤＲＡＭに記憶したあとにＤＲＡＭに記憶したバックアップ用アプリケーションデータを実行するようにしたことで、既存のナビゲーション装置においても電池を使用しないナビゲーション装置にすることが出来る。
【００４６】
また、本発明のナビゲーション装置は、ナビゲーションシステムを実現するアプリケーションデータが記憶されたフラッシュＲＯＭと、フラッシュＲＯＭからアプリケーションデータを読み込んで動作するＣＰＵと、地図データが記録されている光ディスクと、光ディスクから地図データを読み出す光ディスク読出部と、所定の設定データ及び地図データの一部を一時的に記憶可能なメモリ部とを備え、フラッシュＲＯＭにはＣＰＵにバックアップ処理を実行させるバックアップ関数が記憶されており、ＣＰＵは電源オフを検出したときに、フラッシュＲＯＭからバックアップ関数を読み出し、メモリ部に記憶したあとに、メモリ部に記憶したバックアップ関数を実行して設定データをフラッシュＲＯＭに記憶するようにしたことで、一般に光ディスクからデータを読み出すよりもメモリからデータを読み出す方がより速くデータを読み出せるので、バックアップ処理に要する時間を短縮することが出来る。
【００４７】
また、本発明のナビゲーション装置においては、メモリ部はＤＲＡＭとＳＲＡＭとを有しており、ＤＲＡＭには地図データの一部が一時的に記憶され、ＳＲＡＭには設定データが記憶されるとともに、ＣＰＵは電源オフを検出したときに、フラッシュＲＯＭからバックアップ関数を読み出し、ＤＲＡＭに記憶したあとにＤＲＡＭに記憶したバックアップ関数を実行するようにしたことで、既存のナビゲーション装置においても電池を使用しないナビゲーション装置にすることが出来る。
【００４８】
また、本発明のナビゲーション装置においては、ＣＰＵは、電源オフを検出したときに、ＳＲＡＭに記憶した設定データをＤＲＡＭに記憶したのちにＤＲＡＭに記憶した設定データをフラッシュＲＯＭに記憶するようにしたことで、フラッシュＲＯＭの１クラスタよりも小さくなるようにしてコピーするようになっている。このように、設定データをＤＲＡＭへまとめるようにしたことで、フラッシュＲＯＭの記憶容量を無駄にすることなく設定データのバックアップを行うことが出来る。
【図面の簡単な説明】
【図１】本発明のナビゲーション装置の構成を示す概略図である。
【図２】 従来のナビゲーション装置の構成を示す概略図である。
【符号の説明】
１  フラッシュＲＯＭ
２  ＣＰＵ
３  光ディスク読出部
４  メモリ部
５  操作部
６  表示部
７  ＤＲＡＭ
８  ＳＲＡＭ
【図１】
0003657149.tif 000002
【図２】
0003657149.tif 000003